(57)【要約】      （修正有）【課題】      ２重マトリクス方式の電気光学装置において、走査線の形状を工夫することにより、縞模様状の表示不良が生じるのを防止する。【解決手段】  液晶表示装置は、１つの走査線で２行分の画素電極を駆動する２重マトリクス方式であり、特に１ライン反転駆動方式を適用するのを前提とし、画素電極の行単位毎に、画素電極の電圧極性が切り替わるように、各走査線を、１行分に対応する画素電極を隔てて、２行分に対応する画素電極と平面的に重なるように且つコの字状の平面形状を有するように形成している。また、各走査線は、ＹドライバＩＣが走査線を順次走査する方向に交互に噛み合うように配置されている。このような構成により、１つの画素電極行の電位と、隣接する他の画素電極行の電位とが互いに相殺し合うことになるため、液晶の実効値の変動が抑制され、縞模様状の表示不良が発生するのを防止することができる。【選択図】    図８
2006267544.tif 000002
【特許請求の範囲】
【請求項１】
行及び列方向に配置された複数の画素電極と、
前記列方向に配置された複数の画素電極に対応するように両側に設けられた複数のデータ線と、
前記複数のデータ線と交差する複数の走査線と、
前記複数のデータ線と前記複数の走査線の交点に対応して設けられ、前記画素電極に接続された複数のスイッチング素子と、
前記複数の走査線を順次走査する走査線駆動回路と、を備え、
前記走査線の各々は、前記画素電極の行毎に対応して設けられてなるとともに、前記走査線を１行飛ばして２行毎に接続されてなり、且つ前記走査線駆動回路が前記走査線を順次走査する方向に交互に噛み合うように配置されていることを特徴とする電気光学装置。
【請求項２】
前記複数の走査線はコの字状に形成されていることを特徴とする請求項１に記載の電気光学装置。
【請求項３】
前記走査線の各々は第１部分、第２部分及び第３部分を有し、
前記第１部分及び前記第３部分は、前記画素電極の１行分に対応する間隔をおいて、１行分に対応する前記複数の画素電極と各々対向してなり、
前記第２部分は前記第１部分の一端側と前記第３部分の一端側とを繋いでいることを特徴とする請求項１又は２に記載の電気光学装置。
【請求項４】
複数の走査線を順次走査する走査線駆動回路及び当該走査線駆動回路に接続された配線を有する素子基板と、対向基板とを備え、
前記素子基板と前記対向基板の間には、複数の金属粒子を分散配置してなる枠状のシール部材が設けられており、
前記第２部分は前記枠状のシール部材に対応する位置に配置されており且つ前記複数の金属粒子を介して前記配線と上下導通していることを特徴とする請求項３に記載の電気光学装置。
【請求項５】
前記走査線の各々は、前記データ線の延在方向と略直交する方向に延在してなり、前記データ線の延在方向に交互に噛み合うように配置されていることを特徴とする請求項１に記載の電気光学装置。
【請求項６】
前記走査線駆動回路は、前記複数の走査線のうちの１つを順次排他的に選択し、当該選択された走査線に対して、当該選択された走査線の直前に選択された走査線と極性を反転させた電位に対応する走査信号を供給することを特徴とする請求項１に記載の電気光学装置。
【請求項７】
Ｎを自然数としたときに、
前記画素電極の両側に設けられた一組のデータ線のうち、前記画素電極の左側に位置するデータ線は、前記複数のスイッチング素子を介して、（４Ｎ−３）行及び（４Ｎ−２）行に対応する前記複数の画素電極に電気的に接続されていると共に、前記画素電極の右側に位置するデータ線は、前記複数のスイッチング素子を介して、（４Ｎ−１）行及び４ｎ行に対応する前記複数の画素電極に電気的に接続されていることを特徴とする請求項１に記載の電気光学装置。
【請求項８】
請求項１乃至７のいずれか一項に記載の電気光学装置を表示部として備えることを特徴とする電子機器。
【発明の詳細な説明】
【技術分野】
【０００１】
本発明は、各種情報の表示に用いて好適な電気光学装置及び電子機器に関する。
【背景技術】
【０００２】
従来より、液晶装置、有機エレクトロルミネッセンス表示装置、プラズマディスプレイ装置、及びフィールドエミッション表示装置などの各種の電気光学装置が知られている。そのような電気光学装置の一例として、データ線等を有する基板と、走査線を有する対向基板の間に液晶を封入してなる多重マトリクス方式の液晶装置が知られている。
【０００３】
この方式は、１つの走査線に対応するデータ線（信号線）の数を２倍（２重マトリクス）、３倍（３重マトリクス）、・・・、Ｎ（Ｎ重マトリクス：Ｎは２以上の自然数）倍というように多重化して、各画素への駆動電圧の印加期間をＮ倍にする技術である。これにより、各画素を表示する期間をＮ倍にすることができるため、画面の明るさやコントラスト比を向上させることができるという利点を有している。また、多重マトリクス方式を採用した場合、単純マトリクス方式を採用した場合と比べてデューティ比を下げることができるため、駆動電圧の低減、駆動周波数の低減が図れ、低消費電力化を実現することができるという利点も有している。
【０００４】
このような多重マトリクス方式の一例として、２重マトリクス方式を適用した液晶装置の一例が特許文献１に記載されている。特許文献１に係る液晶装置では、各走査電極（走査線）の幅をＹ方向（縦方向）に配列された画素電極の２つ分の長さに設定していると共に、各走査電極を画像表示領域の両側からその内側に向けて交互に櫛歯状に配線するようにしている。これにより、画像表示領域の両側に位置する額縁領域には第２引き回し配線を夫々半分ずつだけ設ければよくなるので、Ｘ方向の両側における額縁領域をバランスよく狭めることが出来るとしている。
【０００５】
【特許文献１】特開２０００−２２１５３４号公報
【発明の開示】
【発明が解決しようとする課題】
【０００６】
上記した２重マトリクス方式の液晶装置において、縦方向（データ線の延在方向）に相隣接する画素電極の間には寄生容量が形成される。すなわち、縦方向に相隣接する画素電極同士はその間に存在する寄生容量によって容量結合される。このため、かかる液晶装置において、走査電極毎、即ち１ライン毎に電圧極性を反転させる方式（一般に、「１ライン反転駆動方式」と称される）を適用すると、その寄生容量の影響により、縞模様状の表示不良が生じてしまうという問題がある。
【０００７】
このような表示不良が発生する原因について簡単に説明する。
【０００８】
上記の２重マトリクス方式の液晶装置では、走査電極の幅は縦方向に配列された画素電極の２つ分の長さに設定されている。このため、かかる液晶装置に１ライン反転駆動方式を適用すると、２行分に対応する画素電極毎に、その電圧極性は反転することになる。即ち、任意の１つの走査電極に対向配置された２行分の画素電極は正又は負極性に対応する電位になっていると共に、それに応じて、その任意の１つの走査電極の上側及び下側に隣接する他の走査電極に対向配置された２行分の画素電極は負又は正極性に対応する電位になっている。
【０００９】
また、上述のように、縦方向に隣接する画素電極の間には寄生容量が存在するため、各画素電極には、縦方向に隣り合う画素電極からの電位が寄生容量を介して廻り込むことになる。ここで、任意の１つの画素電極行の電位と、それに縦方向に隣り合う他の画素電極行の電位とが同一の大きさで且つ極性が反転している場合、その両者の電位は相殺され、当該任意の１つの画素電極行は寄生容量の影響を受けることはない。このため、その任意の１つの画素電極行に対応する液晶の実効値は変動することはない。しかし、そうでない場合、当該任意の１つの画素電極行には、縦方向に隣り合う他の画素電極行からの同極性の電位が寄生容量を介して印加されるため電荷が余分に上乗せされる。このため、その任意の１つの画素電極行に対応する液晶の実効値は変動することになる。
【００１０】
その結果、寄生容量の影響を受けない任意の１つの画素電極行と、寄生容量の影響を受けて電荷が余分に上乗せされた任意の１つの画素電極行とが交互に生成される。そして、このような現象が全ての画素電極行に亘って生じるため、それらの不均衡に起因して縞模様状の表示不良が発生してしまうことになる。
【００１１】
本発明は、以上の点に鑑みてなされたものであり、走査線の形状を工夫することにより、縞模様状の表示不良が生じるのを防止することが可能な２重マトリクス方式の電気光学装置及び電子機器を提供することを課題とする。
【課題を解決するための手段】
【００１２】
本発明の１つの観点では、電気光学装置は、行及び列方向に配置された複数の画素電極と、前記列方向に配置された複数の画素電極に対応するように両側に設けられた複数のデータ線と、前記複数のデータ線と交差する複数の走査線と、前記複数のデータ線と前記複数の走査線の交点に対応して設けられ、前記画素電極に接続された複数のスイッチング素子と、前記複数の走査線を順次走査する走査線駆動回路と、を備え、前記走査線の各々は、前記画素電極の行毎に対応して設けられてなるとともに、前記走査線を１行飛ばして２行毎に接続されてなり、且つ前記走査線駆動回路が前記走査線を順次走査する方向に交互に噛み合うように配置されている。
【００１３】
上記の電気光学装置は、行及び列方向に配置された複数の画素電極と、列方向に配置された複数の画素電極に対応するように両側に設けられた複数のデータ線と、複数のデータ線と交差する複数の走査線と、複数のデータ線と複数の走査線の交点に対応して設けられ、画素電極に接続された、ＴＦＤ素子又はＴＦＴ素子などの複数のスイッチング素子と、複数の走査線を順次走査する走査線駆動回路と、を備えて構成される。好適な例では、前記走査線駆動回路は、前記複数の走査線のうちの１つを順次排他的に選択し、当該選択された走査線に対して、当該選択された走査線の直前に選択された走査線と極性を反転させた電位に対応する走査信号を供給することができる（１ライン反転駆動方式）。なお、スイッチング素子としてＴＦＴ素子を適用した場合、複数の走査線は複数のゲート線に対応し、複数のデータ線はソース線に対応する。
【００１４】
特に、この電気光学装置では、前記走査線の各々は、画素電極の行毎に対応して設けられてなるとともに、走査線を１行飛ばして２行毎に接続されてなり、且つ走査線駆動回路が走査線を順次走査する方向に交互に噛み合うように配置されている。好適な例では、前記走査線の各々は、前記データ線の延在方向と略直交する方向に延在してなり、前記データ線の延在方向に交互に噛み合うように配置されている。
【００１５】
このため、１ライン反転駆動方式に基づき走査線を順次走査することにより、２行分に対応する画素電極を同時に駆動することができ、且つ、画素電極の電圧極性を、画素電極の行単位毎に反転させることができる。ここで、正又は負極性に対応する電位が印加された任意の１つの画素電極に着目した場合、それに応じて当該任意の１つの画素電極の上側及び下側に隣接する他の画素電極には負又は正極性に対応する電位が印加される。また、当該任意の１つの画素電極と、それに隣接する当該他の画素電極との間には夫々寄生容量が形成されている。
【００１６】
このため、正又は負極性に対応する電位が印加された当該１つの画素電極側には、その上側及び下側に隣接する他の画素電極の負又は正極性に対応する電位が寄生容量を通じて廻り込むと共に、その逆に、負又は正極性に対応する電位が印加された当該他の画素電極側には、それぞれ当該１つの画素電極の正又は負極性に対応する電位が寄生容量を通じて廻り込む。ここで、それらの電位は同一の大きさで且つ極性が逆であるため、それらの電位は相殺し合う。これにより、当該１つの画素電極は寄生容量の影響を受けなくなるので、当該１つの画素電極に対応する液晶の実効値が変動するのを抑制することができる。そして、このような作用は画素電極の全体に亘って生じる。これにより、縞模様状の表示不良が生じるのを防止することができる。
【００１７】
好適な例では、前記複数の走査線はコの字状に形成することができる。また、好適な例では、前記走査線の各々は第１部分、第２部分及び第３部分を有し、前記第１部分及び前記第３部分は、前記画素電極の１行分に対応する間隔をおいて、１行分に対応する前記複数の画素電極と各々対向してなり、前記第２部分は前記第１部分の一端側と前記第３部分の一端側とを繋いでいる。
【００１８】
上記の電気光学装置の一つの態様では、複数の走査線を順次走査する走査線駆動回路及び当該走査線駆動回路に接続された配線を有する素子基板と、対向基板とを備え、前記素子基板と前記対向基板の間には、複数の金属粒子を分散配置してなる枠状のシール部材が設けられており、前記第２部分は前記枠状のシール部材に対応する位置に配置されており且つ前記複数の金属粒子を介して前記配線と上下導通している。これにより、走査線駆動回路と走査線とが、枠状のシール部材内に混入された複数の金属粒子、及び配線（引き回し配線）を介して電気的に接続される。即ち、走査駆動回路は、走査線に走査信号を供給することが可能となる。
【００１９】
好適な例では、Ｎを自然数としたときに、前記画素電極の両側に設けられた一組のデータ線のうち、前記画素電極の左側に位置するデータ線は、前記複数のスイッチング素子を介して、（４Ｎ−３）行及び（４Ｎ−２）行に対応する前記複数の画素電極に電気的に接続されていると共に、前記画素電極の右側に位置するデータ線は、前記複数のスイッチング素子を介して、（４Ｎ−１）行及び４ｎ行に対応する前記複数の画素電極に電気的に接続されている。
【００２０】
また、上記の電気光学装置を表示部として備える電子機器を構成することができる。
【発明を実施するための最良の形態】
【００２１】
以下、図面を参照して本発明を実施するための最良の形態について説明する。尚、以下の実施形態は、本発明を電気光学装置の一例としての液晶表示装置に適用したものである。本実施形態は、２重マトリクス方式の液晶表示装置において、走査線の形状を工夫することにより、縞模様状の表示不良が生じるのを防止する。
【００２２】
［液晶表示装置の構成］
まず、本発明の第１実施形態に係る液晶表示装置の構成について説明する。図１は、本発明の液晶表示装置１００の概略構成を模式的に示す平面図である。図１では、主として、液晶表示装置１００の電極及び配線の構成を平面図として示している。ここに、本発明の液晶表示装置１００は、ＴＦＤ素子を用いたアクティブマトリクス駆動方式の液晶表示装置であると共に、いわゆる２重マトリクス方式の液晶表示装置である。また、この液晶表示装置１００は、バックライトなどの照明装置を用いた透過型の液晶表示装置でもある。
【００２３】
まず、図２を参照して、液晶表示装置１００の断面構成について説明する。そして、その後、素子基板９１の電極及び配線の構成等について説明する。図２は、図１の液晶表示装置１００において、１つの横列をなす画素電極群を通る切断線Ａ−Ａ’に沿った概略断面図である。
【００２４】
図２において、液晶表示装置１００は、素子基板９１と、その素子基板９１に対向して配置されるカラーフィルタ基板９２とが枠状のシール部材３を介して貼り合わされ、その内部に液晶が封入されて液晶層４が形成されてなる。この枠状のシール部材３には、複数の金属粒子などの導通部材７が混入されている。また、この液晶表示装置１００において、素子基板９１とカラーフィルタ基板９２の間には図示しないスペーサが配置されており、このスペーサにより両基板が一定の間隔に規定されている。
【００２５】
下側基板１の内面上には、サブ画素領域ＳＧ毎に、透明導電材料、例えばＩＴＯ（Indium Tin Oxide）などからなる画素電極１０が形成されている。また、下側基板１の内面上において、各画素電極１０の隅の位置には、二端子素子としてのＴＦＤ（Thin Film Diode）素子２１が形成されている。さらに、下側基板１の内面上において、各画素電極１０の両側には、それぞれクロムなどからなるデータ線３２ａ、３２ｂが形成されている。図２の断面構成では、各画素電極１０は、対応する各ＴＦＤ素子２１を介して、データ線３２ａに電気的に接続されている。なお、図２とは異なる断面では、各画素電極１０は、対応する各ＴＦＤ素子２１を介して、データ線３２ａではなくデータ線３２ｂに電気的に接続されている。こうして、この素子基板９１は、図１に示すように、Ｙ方向に列をなす画素電極群毎に、その両側に１組のデータ線３２ａ及び３２ｂが設けられており、いわゆる２重マトリクス構造をなしている。また、下側基板１の内面上の左右周縁部には、クロムなどからなる引き回し配線３１が形成されている。この引き回し配線３１の一端側はシール部材３内に延在しており、そのシール部材３の内部に混入された導通部材７と電気的に接続されている。下側基板１、データ線３２ａ及び３２ｂ、ＴＦＤ素子２１、並びに、画素電極１０等の内面上には配向膜１７が形成されている。
【００２６】
一方、上側基板２の内面上には、サブ画素領域ＳＧ毎にＲ（赤）、Ｇ（緑）、Ｂ（青）の三色のいずれかからなる着色層６Ｒ、６Ｇ、及び６Ｂが形成されている。そして、着色層６Ｒ、６Ｇ、及び６Ｂは、対応する各画素電極１０に対向している。着色層６Ｒ、６Ｇ及び６Ｂによりカラーフィルタが構成される。画素領域Ｇは、Ｒ、Ｇ、Ｂのサブ画素から構成されるカラー１画素分の領域を示している。なお、以下の説明において、色を問わずに着色層を特定する場合は単に「着色層６」と記し、色を区別して着色層を特定する場合は「着色層６Ｒ」などと記す。
【００２７】
また、各着色層６の間に対応する上側基板２の内面上には、隣接するサブ画素領域ＳＧを隔て、一方のサブ画素領域ＳＧから他方のサブ画素領域ＳＧへの光の混入を防止するため黒色遮光層ＢＭが形成されている。この黒色遮光層ＢＭは、黒色の樹脂材料、例えば黒色の顔料を樹脂中に分散させたもの等を用いることが好ましい。なお、本発明では、これに代えて、Ｒ、Ｇ、Ｂの着色層が相互に重ね合わされて形成された重ね遮光層（図示略）を用いてもよい。
【００２８】
着色層６及び黒色遮光層ＢＭの内面上には、アクリル樹脂等からなるオーバーコート層１９が形成されている。このオーバーコート層１９は、液晶表示装置１００の製造工程中に使用される薬剤等による腐食や汚染から、着色層６等を保護する機能を有している。オーバーコート層１９の内面上には走査線８が形成されている。なお、走査線８等の内面上には、図示しない配向膜が形成されている。
【００２９】
下側基板１の外面上には、偏光板１１が配置されている一方、上側基板２の外面上には、偏光板１２が配置されている。また、偏光板１１の下側には、照明装置としてのバックライト１５が配置されている。バックライト１５は、例えば、ＬＥＤ（Light Emitting Diode）等といった点状光源や、冷陰極蛍光管等といった線状光源と導光板を組み合わせたものなどが好適である。
【００３０】
さて、本実施形態の液晶表示装置１００において透過型表示がなされる場合、バックライト１５から出射した照明光は、図２に示す経路Ｔに沿って進行し、画素電極１０及び着色層６等を通過して観察者に至る。この場合、その照明光は、着色層６を透過することにより所定の色相及び明るさを呈する。こうして、所望のカラー表示画像が観察者により視認される。
【００３１】
（電極及び配線構成等）
次に、図３乃至図７等を参照して、素子基板９１の電極及び配線の構成などについて説明する。図３は、素子基板９１を正面方向（即ち、図２における上方）から観察したときの素子基板９１の電極及び配線などの構成を平面図として示す。また、図３において、電極や配線以外のその他の要素は説明の便宜上図示を省略している。
【００３２】
図１において、１つの画素電極１０と、それに対向する走査電極８との交差する領域が、表示の最小単位であるサブ画素領域ＳＧを構成する。そして、このサブ画素領域ＳＧが紙面縦方向及び紙面横方向に複数個、マトリクス状に並べられた領域が有効表示領域Ｖ（２点鎖線により囲まれる領域）である。この有効表示領域Ｖに、文字、数字、図形等の画像が表示される。なお、図１及び図３において、液晶表示装置１００の外周と、有効表示領域Ｖとによって区画された領域は、画像表示に寄与しない額縁領域３８である。
【００３３】
素子基板９１は、複数のＴＦＤ素子２１、複数の画素電極１０、複数の引き回し配線３１、複数のデータ線３２ａ及び３２ｂ、複数のＹドライバＩＣ３３、ＸドライバＩＣ３４、並びに複数の外部接続用端子３５などを備えている。
【００３４】
素子基板９１の張り出し領域３６上には、ＹドライバＩＣ３３及びＸドライバＩＣ３４が例えばＡＣＦ（Anisotropic Conductive Film：異方性導電膜）を介して、それぞれ実装されている。なお、図３において、素子基板９１の張り出し領域３６側の辺９１ａから反対側の辺９１ｃへ向かう方向をＹ方向とし、辺９１ｄから反対側の辺９１ｂへ向かう方向をＸ方向とする。
【００３５】
張り出し領域３６上には、複数の外部接続用端子３５が形成されている。ＹドライバＩＣ３３及びＸドライバＩＣ３４の各入力端子（図示略）は、導電性を有するバンプを介して、その複数の外部用接続端子３５にそれぞれ接続されている。外部接続用端子３５は、ＡＣＦや半田などを介して、図示しない配線基板、例えばフレキシブルプリント基板に接続されている。これにより、例えば携帯電話や情報端末などの電子機器から液晶表示装置１００へ信号や電力が供給される。
【００３６】
各ＹドライバＩＣ３３の出力端子（図示略）は、導電性を有するバンプを介して、複数の引き回し配線３１に接続されている。一方、各ＸドライバＩＣ３４の出力端子（図示略）は、導電性を有するバンプを介して、複数のデータ線３２ａ及び３２ｂに接続されている。なお、各ＹドライバＩＣ３３及びＸドライバＩＣ３４の機能等については後述する。
【００３７】
各引き回し配線３１は、本線部分３１ａと、その本線部分３１ａに対して略直角に折れ曲がる折れ曲がり部分３１ｂとにより構成されている。各本線部分３１ａは、額縁領域３８内を張り出し領域３６からＹ方向に延在するように形成されている。また、各本線部分３１ａは、一定の間隔を隔てて形成されている。各折れ曲がり部分３１ｂは、額縁領域３８内において、Ｘ方向に且つ左右に位置するシール部材３内まで延在している。そして、各折れ曲がり部分３１ｂの終端部は、シール部材３内で導通部材７に電気的に接続されている。
【００３８】
各データ線３２ａ及び３２ｂは、直線状の配線であり、張り出し領域３６から有効表示領域ＶにかけてＹ方向に延在するように形成されている。また、各データ線３２ａは、Ｙ方向に列をなす画素電極群の紙面左側に配置されていると共に、各データ線３２ｂは、当該Ｙ方向に列をなす画素電極群の紙面右側に配置されている。
【００３９】
各ＴＦＤ素子２１は、各画素電極１０の左下隅の位置又は右下隅の位置に配置されている。そして、各ＴＦＤ素子２１は、対応する画素電極１０とデータ線３２ａ又は３２ｂとに電気的に接続されている。
【００４０】
次に、各ＹドライバＩＣ３３及びＸドライバＩＣ３４の機能等について説明する。
【００４１】
各ＹドライバＩＣ３３は、いわゆる１ライン反転駆動方式により、各引き回し配線３１等を介して各走査線８を順次排他的に走査する。また、各ＹドライバＩＣ３３は、各走査線８に走査電位ＶＡを印加し、ＸドライバＩＣ３４は各データ線３２ａ及び３２ｂに対して信号電位ＶＢを印加する。電位ＶＡ及びＶＢについて、図５を参照して説明する。まず、各走査線８には、図５（ａ）に示すような走査電位ＶＡが印加される。ライン選択期間Ｔ毎に、各走査線８は順次排他的に選択され、ある共通電位ＶGNDに対して±Ｖselなる電位差、即ち電圧を持ついずれかの電位が印加される。なお、この電圧、±Ｖselを選択電圧と呼ぶ。そして、ライン選択期間Ｔ後には、各走査線８に対して、共通電位ＶGNDに対して±Ｖhldなる電圧を持ついずれかの電位が印加される。ここで、選択時の電位がＶGND＋ＶselのときにはＶGND＋Ｖhldの電位が印加され、選択時の電位がＶGND−ＶselのときにはＶGND−Ｖhldの電位が印加される。なお、この電圧Ｖhldを保持電圧（又は非選択電圧）と呼ぶ。また、全ての走査線８が一巡して選択され終わる期間をフィールド期間といい、次のフィールド期間では、先のフィールド期間とは逆特性の選択電圧を用いて順次排他的に、走査線８を選択していく。
【００４２】
ＸドライバＩＣは、データ線３２ａ及び３２ｂに対して、図５（ｂ）に示すように、共通電位ＶGNDに対して±Ｖsigなる電圧を持ついずれかの電位を印加する。ここで、ある選択期間に選択された走査線８に印加する電位がＶGND＋Ｖselの場合に、ＶGND−Ｖsigをオン電位Ｖon、ＶGND＋Ｖsigをオフ電位Ｖoffとして用いる。また、ある選択期間に選択された走査線８に印加する電位がＶGND−Ｖselの場合に、ＶGND＋Ｖsigをオン電位Ｖon、ＶGND−Ｖsigをオフ電位Ｖoffとして用いる。
【００４３】
即ち、信号電位ＶＢの各ライン選択期間Ｔ内の波形は、当該データ線３２ａ及び３２ｂに係る列における各画素の階調に応じて設定されるが、まず、信号電位ＶＢは、各ライン選択期間Ｔ毎にオン区間とオフ区間に分割され、オン区間においてはオン電位Ｖonに、オフ区間においてはオフ電位Ｖoffに設定される。即ち、信号電位ＶＢは、階調値に応じてパルス幅変調される。そして、画素電極１０に与えるべき階調が高くなるほど（ノーマリーホワイトモードでは暗くなるほど）、オン区間の占める割合が大きく設定される。
【００４４】
次に、走査線８並びにデータ線３２ａ及び３２ｂの電極間電圧ＶＡＢを図５（ｃ）の実線で示す。図示のように、電極間電圧ＶＡＢの絶対値は、画素電極１０の選択期間において高くなることがわかる。また、液晶層４に印加される液晶層電圧ＶＬＣは、図５（ｃ）のハッチングで示すようになる。液晶層電圧ＶＬＣが変化する際には、液晶層４が形成する容量を充放電しなければならないため、液晶層電圧ＶＬＣは電極間電圧ＶＡＢに対して過渡応答的に変化する。なお、図５（ｃ）において電圧ＶＮＬは電極間電圧ＶＡＢと液晶層電圧ＶＬＣとの差、即ちＴＦＤ素子２１の端子電圧である。
【００４５】
本実施形態における信号電位ＶＢの一例を図６（ａ）に示す。図６（ａ）において、ライン選択期間Ｔはオン区間とオフ区間により構成される。また、走査電位ＶＡは図６（ａ）に示すようであるから、電極間電圧ＶＡＢ及び液晶層電圧ＶＬＣは図６（ｂ）に示すようになる。
【００４６】
図７に、液晶表示装置１００における階調表示における駆動波形を示す。上述のように、液晶表示装置１００では液晶層４に印加する駆動電圧をパルス幅変調することにより階調表示が行われる。図７の上段に白表示、グレー表示、黒表示の場合の１ライン分（１Ｔ）の駆動波形例を示す。なお、本例はノーマリーホワイトの液晶表示装置１００であるとする。
【００４７】
走査線駆動波形６１は走査線８に印加されるパルス波形であり、上記の走査電位ＶＡを規定する。また、データ線駆動波形６２はデータ線３２ａ及び３２ｂに印加されるパルス波形であり、上記信号電位ＶＢを規定する。上記のように、液晶層４に対しては、走査線８とデータ線３２ａ又は３２ｂとの電位差、つまり電極間電位が印加される。即ち、液晶層４には、走査線駆動波形６１とデータ線駆動波形６２の合計の電圧、即ち図７の下段に示す合成電圧波形に示す電極間電圧が印加される。また、図７の下段では、実際の液晶層４の電圧レベル（液晶層電圧レベル）の変化を液晶層電圧波形６３として示している。液晶層４は、電圧を印加してから液晶分子の配向が変化するまでに遅延があるため、その分の過渡応答が生じて図７の下段に示す液晶層電圧波形６３が液晶層４に印加されることになる。液晶層電圧レベルに応じて、液晶表示装置１００の階調が変化する。本実施形態の液晶表示装置１００はノーマリーホワイトであるので、液晶層電圧レベルが低い場合が白表示、高い場合が黒表示、その中間がグレー表示（中間調表示）となる。図７の上段の波形から理解されるように、グレー表示（中間調表示）時の中間調レベルはデータ線駆動波形６２のパルス幅により制御される。
【００４８】
次に、図４を参照して、カラーフィルタ基板９２の電極の構成について説明する。
【００４９】
図４に示すように、各走査線８は、第１部分８ａ、第２部分８ｂ及び第３部分８ｃにて構成され、コの字状の平面形状をなしている。
【００５０】
第１部分８ａ及び第３部分８ｃは、同一形状をなし、データ線３２ａ及び３２ｂの延在方向と略直交する方向（Ｘ方向）に延在するように形成されている。第１部分８ａのＹ方向における長さ（幅）、及び、第３部分８ｃのＹ方向における長さ（幅）は、少なくとも画素電極１０のＹ方向における長さ以上の長さに設定されている。また、第１部分８ａと第３部分８ｃとは、１行分に対応する複数の画素電極１０を隔てて対向配置されている。第２部分８ｂは、データ線３２ａ及び３２ｂの延在方向（Ｙ方向）に延在するように形成されており、第１部分８ａの一端側と第３部分８ｃの一端側とを繋いでいる。また、第２部分８ｂは、紙面左側又は紙面右側に位置するシール部材３内に配置されており、シール部材３内の導通部材７を介して電気的に接続されている。
【００５１】
また、各走査線８は、ＹドライバＩＣ３３が走査線８を順次走査する方向に、且つ、データ線３２ａ及び３２ｂの延在方向に交互に噛み合うように配置されている。
【００５２】
図１及び図４において、ある任意の噛み合う一組の走査線８のうち、紙面右側に開口を有する一方の走査線８に着目した場合、一方の走査線８の第１部分８ａと、当該一方の第３部分８ｃとの間には、紙面左側に開口を有する他方の走査線８の第１部分８ａが配置されていると共に、当該一方の走査線８の第３部分８ｃの下側には当該他方の走査線８の第３部分８ｃが配置されている。つまり、本発明の液晶表示装置１００は、櫛歯状に互いに噛み合うように配置された一組の走査線８を複数有している。
【００５３】
以上に述べた、カラーフィルタ基板９２と素子基板９１とをシール部材３を介して貼り合わせた状態が図１に示されている。図示のように、カラーフィルタ基板９２の各走査線８は、素子基板９１の各データ線３２ａ及び３２ｂに対して直交している。そして、各走査線８は、第１部分８ａと第３部分８ｃとの間の開口に位置する１行分に対応する画素電極１０を隔てて、２行分に対応する画素電極１０と平面的に重なっている。
【００５４】
また、カラーフィルタ基板９２の各走査線８の第２部分８ｂと、素子基板９１の各引き回し配線３１とは、図示のように左辺側と右辺側との間で交互に重なり合っており、その各走査線８の第２部分８ｂと各引き回し配線３１とは、シール部材３内の導通部材７を介して上下導通している。つまり、カラーフィルタ基板９２の各走査線８１と、素子基板９１の各引き回し配線３１との導通は、図示のように左辺側と右辺側との間で交互に実現されている。こうして、カラーフィルタ基板９２の各走査線８は、素子基板９１の各引き回し配線３１を介して、紙面左右に夫々位置する各ＹドライバＩＣ３３に電気的に接続されている。
【００５５】
（走査線の配線構造）
次に、図８等を参照して、本発明の特徴をなす走査線の配線構造について説明する。図８は、図１における液晶表示装置１００を模式的に且つ部分的に拡大して示す平面図である。図８において、Ｘ方向は行方向に対応していると共に、Ｙ方向は列方向に対応している。また、図８では、説明に必要な最小限の要素のみ示す。なお、以下において、上記で説明した液晶表示装置１００の要素は同一の符号を付し、その説明は省略又は簡略化する。
【００５６】
画素電極１０は、下側基板１上においてマトリクス状に配置されている。そして、Ｙ方向に相隣接する画素電極１０の間には寄生容量Ｃ１が形成されている。つまり、Ｙ方向に相隣接する画素電極同士は、その間に存在する寄生容量Ｃ１によって容量結合されている。
【００５７】
各データ線３２ａは、下側基板１上において、Ｙ方向に列をなす画素電極群（以下、「Ｙ方向画素電極群」とも呼ぶ）の紙面左側に配置されており且つＹ方向に延在するように形成されている。一方、各データ線３２ｂは、下側基板１上において、Ｙ方向画素電極群の紙面右側に配置されており且つＹ方向に延在するように形成されている。換言すれば、任意の１つのＹ方向画素電極群の両側には、一組のデータ線３２ａ及び３２ｂが形成されている。
【００５８】
各ＴＦＤ素子２１は、２行分に対応する画素電極１０の単位毎に、各画素電極１０の左下隅の位置又は右下隅の位置に配置されており、対応する各画素電極１０と各データ線３２ａ又は３２ｂとに電気的に接続されている。即ち、各画素電極１０の左下隅の位置に配置される各ＴＦＤ素子２１は、当該各画素電極１０の左側に位置するデータ線３２ａと電気的に接続されていると共に、各画素電極１０の右下隅の位置に配置される各ＴＦＤ素子２１は、当該各画素電極１０の右側に位置するデータ線３２ｂと電気的に接続されている。
【００５９】
このような構成により、図１及び図８において、紙面上側に位置する画素電極１０のアドレスを１行目とし、紙面下側に位置する画素電極１０のアドレスをＮ（Ｎ：自然数、以下同様）行目とした場合、画素電極１０の両側に設けられた一組のデータ線３２ａ及び３２ｂのうち、画素電極１０の左側に位置するデータ線３２ａは、各ＴＦＤ素子２１を介して、（４Ｎ−３）行及び（４Ｎ−２）行に対応する各画素電極１０に電気的に接続されていると共に、当該画素電極１０の右側に位置するデータ線３２ｂは、各ＴＦＤ素子２１を介して、（４Ｎ−１）行及び４ｎ行に対応する各画素電極１０に電気的に接続されている。
【００６０】
一方、上側基板２上には、本発明の特徴をなす複数の走査線８（二点鎖線に対応する部分）等が形成されている。
【００６１】
各走査線８は、画素電極１０の行毎に対応して設けられていると共に、走査線８を１行飛ばして２行毎に接続されてなり、且つＹドライバＩＣ３３が走査線８を順次走査する方向に交互に噛み合うように配置されている。換言すれば、各走査線８は、１行分に対応する画素電極１０を隔てて、２行分に対応する画素電極１０と平面的に重なっている。各走査線８はコの字状の平面形状をなしており、第１部分８ａ、第２部分８ｂ及び第３部分８ｃを有している。第１部分８ａ及び第３部分８ｃは、Ｘ方向に延在してなり、画素電極１０の１行分に対応する間隔をおいて、１行分に対応する画素電極１０と各々対向している。なお、第２部分８ｂの構成等については上述した通りである。
【００６２】
また、各走査線８は、ＹドライバＩＣ３３が走査線８を順次走査する方向に且つデータ線３２ａ及び３２ｂの延在方向に交互に噛み合うように配置されている。図８において、ある任意の噛み合う一組の走査線８のうち、紙面右側に開口を有する一方の走査線８に着目した場合、一方の走査線８の第１部分８ａと、当該一方の第３部分８ｃとの間には、紙面左側に開口を有する他方の走査線８の第１部分８ａが配置されていると共に、当該一方の走査線８の第３部分８ｃの下側には当該他方の走査線８の第３部分８ｃが配置されている。つまり、本発明の液晶表示装置１００は、櫛歯状に互いに噛み合うように配置された一組の走査線８を複数有している。
【００６３】
次に、本発明の実施形態に係る液晶表示装置１００の特有の作用効果について説明する。
【００６４】
一般的に、各走査線のＹ方向の長さ（幅）が２画素分の長さに設定された２重マトリクス方式の液晶表示装置に対して、１ライン反転駆動方式を適用すると縞模様状の表示不良が生じてしまう。この発生原因は上述した通りである。即ち、これは、２行分の画素電極単位毎に、画素電極の電圧極性が反転するため、寄生容量の影響を受けない画素電極行と、寄生容量の影響を受ける画素電極行とが交互に生成され液晶の実効値が変動することにより生じるものである。
【００６５】
そこで、このような表示不良が生じるのを防止するためには、全ての画素電極行が寄生容量の影響を受けないような構成にすればよい。理論上は、任意の１つの画素電極行を基準としたときに、当該任意の１つの画素電極行の電圧極性が正又は負極性である場合、それに応じて、当該任意の１つの画素電極行の上側及び下側に隣接する他の画素電極行の電圧極性が負又は正極性である構成にすればよい。例えば、このような構成例としては、１つの走査線が１行分の画素電極に対向する構成を有する１重マトリクス方式の液晶表示装置であって、１ライン反転駆動方式を適用してなるものが挙げられる。このような構成にすれば、液晶の駆動時、当該任意の１つの画素電極行の電位と、隣接する他の画素電極行の電位とは同一の大きさで且つ極性が反転することになるため両者の電位は相殺し合うことになる。その結果、液晶の実効値が変動するのを抑制でき、縞模様状の表示不良が発生するのを防止することができる。
【００６６】
このような観点を考慮して、２重マトリクス方式を適用する本発明では、１ライン反転駆動方式を適用するのを前提とし、画素電極の行単位毎に、画素電極１０の電圧極性が切り替わるように走査線８の形状を工夫して、縞模様状の表示不良が生じるのを防止するようにしている。
【００６７】
即ち、本発明では、各走査線８を、画素電極１０の行毎に対応して設けていると共に、走査線８を１行飛ばして２行毎に接続し、且つＹドライバＩＣ３３が走査線８を順次走査する方向に交互に噛み合うように配置している。換言すれば、各走査線８は、１行分に対応する画素電極１０を隔てて、２行分に対応する画素電極１０と平面的に重なるように形成されている。そして、各走査線８は、ＹドライバＩＣ３３が走査線８を順次走査する方向に、且つ、データ線３２ａ及び３２ｂの延在方向に交互に噛み合うように配置されている。
【００６８】
より具体的には、上記したように、各走査線８は、コの字状の平面形状を有し、第１部分８ａ、第２部分８ｂ及び第３部分８ｃにより構成されている。第１部分８ａ及び第３部分８ｃは、データ線３２ａ及び３２ｂの延在方向と略直交する方向に延在するように形成されており、また、その各々は、１行分に対応する複数の画素電極１０を隔てて対向するように配置されている。このため、第１部分８ａ及び第３部分８ｃは、対応する１行分に対応する画素電極と平面的に重なり合っている。第２部分８ｂは、第１部分８ａの一端側と、第３部分８ｃの一端側とを繋いでおり、且つ、シール部材３内の導通部材７を介して引き回し配線３１及び各ＹドライバＩＣ３３と電気的に接続されている。
【００６９】
また、図１、図４及び図８において、ある任意の噛み合う一組の走査線８のうち、紙面右側に開口を有する一方の走査線８に着目した場合、一方の走査線８の第１部分８ａと、当該一方の第３部分８ｃとの間には、紙面左側に開口を有する他方の走査線８の第１部分８ａが配置されていると共に、当該一方の走査線８の第３部分８ｃの下側には当該他方の走査線８の第３部分８ｃが配置されている。つまり、本発明は、櫛歯状に互いに噛み合うように配置された一組の走査線８を複数有している。以上のような構成を有する本発明の液晶表示装置１００では、１ライン反転駆動方式に基づき、各走査線８が順次排他的に走査される。
【００７０】
いま、図８に示す液晶表示装置１００では、１ライン反転駆動方式に基づき、Ｙ１及びＹ３に対応する走査線８には正極性に対応する電位が、Ｙ２及びＹ４に対応する走査線８には負極性に対応する電位が夫々印加されている。このため、それらの各走査線８に平面的に重なり合う画素電極１０には、それらの各走査線８と同極性の電位が印加されることになる。
【００７１】
ここで、Ｙ１に係る走査線８と平面的に重なる画素電極１０と、Ｙ２に係る走査線８と平面的に重なる画素電極１０とに着目したとき、Ｙ１に係る走査線８の第１部分８ａに平面的に重なる画素電極１０（便宜上、「画素電極１０ａ」と呼ぶ）と、Ｙ２に係る走査線８の第１部分８ａに平面的に重なる画素電極１０（便宜上、「画素電極１０ｂ」と呼ぶ）との間、画素電極１０ｂとＹ１に係る走査線８の第３部分８ｃに平面的に重なる画素電極１０（便宜上、「画素電極１０ｃ」と呼ぶ）との間、画素電極１０ｃとＹ２に係る走査線８の第３部分８ｃに平面的に重なる画素電極１０（便宜上、「画素電極１０ｄ」と呼ぶ）との間はそれぞれ寄生容量Ｃ１が存在している。
【００７２】
このため、画素電極１０ａ側には、画素電極１０ｂの負極性に対応する電位が寄生容量Ｃ１を通じて廻り込むと共に、その逆に、画素電極１０ｂ側には、画素電極１０ａの正極性に対応する電位が寄生容量Ｃ１を通じて廻り込むことになる。ここで、それらの電位は同一の大きさで且つ極性が逆であるため、それらの電位は相殺し合う。また、上記同様の作用により、画素電極１０ｂ側には、画素電極１０ｃの正極性に対応する電位が寄生容量Ｃ１を通じて廻り込むと共に、その逆に、画素電極１０ｃ側には、画素電極１０ｂの負極性に対応する電位が寄生容量Ｃ１を通じて廻り込む。上記同様の理由により、それらの電位は相殺し合う。さらに、上記同様の作用により、画素電極１０ｃ側には、画素電極１０ｄの負極性に対応する電位が寄生容量Ｃ１を通じて廻り込むと共に、その逆に、画素電極１０ｄ側には、画素電極１０ｃの正極性に対応する電位が寄生容量Ｃ１を通じて廻り込む。上記同様の理由により、それらの電位は相殺し合う。このような作用は、Ｙ３に係る走査線８と平面的に重なり合う画素電極１０と、Ｙ４に係る走査線８と平面的に重なり合う画素電極１０についても生じる。
【００７３】
以上に述べた作用により、各画素電極１０は寄生容量Ｃ１の影響を受けないので、液晶の実効値が変動するのを抑制することができる。よって、縞模様状（横縞状）の表示不良が生じるのを防止することができる。
【００７４】
［変形例］
上記の実施形態では、特に、各走査線８を、画素電極１０の行毎に対応して設けていると共に、走査線８を１行飛ばして２行毎に接続し、且つＹドライバＩＣ３３が走査線８を順次走査する方向に交互に噛み合うように配置していた。また、別の表現をすれば、各走査線８は、１行分に対応する画素電極１０を隔てて、２行分に対応する画素電極１０と平面的に重なるように形成されており、且つ、各走査線８は、ＹドライバＩＣ３３が走査線８を順次走査する方向に、且つ、データ線３２ａ及び３２ｂの延在方向に交互に噛み合うように配置されていた。
【００７５】
しかし、本発明の構成は必ずしも上記のような構成だけに限られない。ここで、図９を参照して、本発明を適用することが可能な他の形態に係る液晶表示装置２００ついて簡単に説明する。図９は、当該液晶表示装置２００の構成を模式的に示す部分平面図である。なお、以下において、上記の液晶表示装置１００と同一の要素については同一の符号を付し、その説明は省略又は簡略化する。
【００７６】
液晶表示装置２００において、Ｙ２に対応する走査線８とＹ４に対応する走査線８とに着目した場合、この液晶表示装置２００では、負極性に対応する電位が印加される、Ｙ２に対応する走査線８の第３部分８ｃと、同じく負極性に対応する電位が印加される、Ｙ４に対応する走査線８の第１部分８ａとはＹ方向に相隣接するように配置されている。即ち、この液晶表示装置２００では、一般に、負極性に対応する電位が印加される、任意の１つの偶数アドレス番号に対応する走査線８の第３部分８ｃと、同じく負極性に対応する電位か印加される、次の偶数アドレス番号に対応する走査線８の第１部分８ａとがＹ方向に相隣接するように配置される。この点が、上記の液晶表示装置１００の構成と異なっており、その他の構成等は上記の液晶表示装置１００の構成等と同様である。
【００７７】
このため、任意の１つの偶数アドレス番号に対応する走査線８の第３部分８ｃと対向する画素電極１０、及び、次の偶数アドレス番号に対応する走査線８の第１部分８ａと対向する画素電極１０には、それぞれ負極性に対応する電位が寄生容量Ｃ１を介して廻り込むことになり、その部分では本発明の効果を得ることができない。なお、その部分以外では、上記の液晶表示装置１００と同様の作用効果を得ることができる。これにより、この液晶表示装置２００では、上記の液晶表示装置１００に比べて、若干表示品質が劣るものの、本発明は、このような形態を有する液晶表示装置２００に対しても適用することができる。
【００７８】
なお、本発明では、この形態に代えて、正極性に対応する電位が印加される、任意の１つの奇数アドレス番号に対応する走査線８の第３部分８ｃと、同じく正極性に対応する電位か印加される、次の奇数アドレス番号に対応する走査線８の第１部分８ａとを、Ｙ方向に相隣接するように配置しても構わない。
【００７９】
また、上記の実施形態及び変形例では、スイッチング素子としてＴＦＤ素子２１を用いた液晶表示装置１００又は２００に本発明を適用することにしたが、これに限らず、スイッチング素子としてＴＦＴ（薄膜トランジスタ）素子を用いた液晶表示装置にも本発明を適用することは可能である。
【００８０】
ここで、図１０を参照して、ＴＦＴ素子を有する液晶表示装置３００に本発明を適用した例について説明する。図１０は、当該液晶表示装置３００の構成を模式的に示す部分平面図である。なお、以下では、上記の実施形態と異なる点について説明すると共に、上記の液晶表示装置１００と同一の要素については同一の符号を付し、その説明は省略又は簡略化する。
【００８１】
この液晶表示装置３００では、カラーフィルタ基板９２側には、走査線８ではなく対向電極（図示略）が形成される一方、素子基板９１側には、ＴＦＤ素子２１ではなくＴＦＴ素子４５０、及び、複数のデータ線３２ａ及び３２ｂに加え複数のゲート線８０が夫々形成される。また、この液晶表示装置２００における駆動方式は、上記の液晶表示装置１００の駆動方式と同様である。
【００８２】
ＴＦＴ素子４５０は、素子基板９１において、上記したＴＦＤ素子２１と同一の位置に設けられている。ここで、図１１を参照して、ＴＦＴ素子４５０の構成について説明する。図１１において、ＴＦＴ素子４５０では、図示しないゲート線８０から分岐したゲート電極４０１の上に、それを覆うようにゲート絶縁膜４０３が設けられている。ゲート絶縁膜４０３の上には、ゲート電極４０２に重なるようにａ−Ｓｉ層４０５が設けられている。ａ−Ｓｉ層４０５の上には、２つに分断されたｎ＋−ａ−Ｓｉ層４０６ａ、４０６ｂが設けられている。さらに、ｎ＋−ａ−Ｓｉ層４０６ａの上には図示しないソース線、即ちデータ線３２ａ又は３２ｂから分岐したソース電極４０８が設けられ、ｎ＋−ａ−Ｓｉ層４０６ｂの上にはドレイン電極４０９が設けられている。ドレイン電極４０９の上には、画素電極１０が部分的に重なるように設けられている。
【００８３】
各ゲート線８０は、画素電極１０の行毎に対応して設けられていると共に、ゲート線８０を１行飛ばして２行毎に接続されており、且つＹドライバＩＣ３３がゲート線８０を順次走査する方向に交互に噛み合うように配置されている。
【００８４】
具体的には、各ゲート線８０は、第１部分８０ａ、第２部分８０ｂ及び第３部分８０ｃを有しており、ＴＦＴ素子４５０及びＹドライバＩＣ３３に電気的に接続されている。第１部分８０ａ及び第３部分８０ｃは、Ｘ方向に延在するように且つ複数のデータ線３２ａ及び３２ｂと交差するように設けられており、第２部分８０ｂは、第１部分８０ａと第３部分８０ｃとを繋いでいる。
【００８５】
また、紙面上側に位置する画素電極１０のアドレスを１行目とし、紙面下側に位置する画素電極１０のアドレスをＮ（Ｎ：自然数）行目とした場合、Ｙ１、Ｙ３、Ｙ５などの奇数アドレスに対応する各ゲート線８０の第１部分８０ａは（４Ｎ−３）行の画素電極１０と接続されたＴＦＴ素子４５０に、また、当該各ゲート線８０の第３部分８０ｃは（４Ｎ−１）行の画素電極１０と接続されたＴＦＴ素子４５０に夫々接続されている。一方、Ｙ２、Ｙ４、Ｙ６などの偶数アドレスに対応する各ゲート線８０の第１部分８０ａは（４Ｎ−２）行の画素電極１０と接続されたＴＦＴ素子４５０に、また、当該各ゲート線８０の第３部分８０ｃは（４Ｎ）行の画素電極１０と接続されたＴＦＴ素子４５０に夫々接続されている。
【００８６】
データ線３２ａは、各ＴＦＴ素子４５０を介して、（４Ｎ−３）行及び（４Ｎ−２）行に対応する各画素電極１０に電気的に接続されていると共に、データ線３２ｂは、各ＴＦＴ素子４５０を介して、（４Ｎ−１）行及び４ｎ行に対応する各画素電極１０に電気的に接続されている。
【００８７】
以上のような構成を有する液晶表示装置２００では、上記した液晶表示装置１００と同様の作用効果を得ることができる。
【００８８】
即ち、ここで、Ｙ１に係るゲート線８０にＴＦＴ素子４５０を介して接続された画素電極１０と、Ｙ２に係るゲート線８０にＴＦＴ素子４５０を介して接続された画素電極１０とに着目したとき、Ｙ１に係るゲート線８０の第１部分８０ａにＴＦＴ素子４５０を介して接続された画素電極１０（便宜上、「画素電極１０ａ」と呼ぶ）と、Ｙ２に係るゲート線８０の第１部分８０ａにＴＦＴ素子４５０を介して接続された画素電極１０（便宜上、「画素電極１０ｂ」と呼ぶ）との間、画素電極１０ｂとＹ１に係るゲート線８０の第３部分８０ｃにＴＦＴ素子４５０を介して接続された画素電極１０（便宜上、「画素電極１０ｃ」と呼ぶ）との間、画素電極１０ｃとＹ２に係るゲート線８０の第３部分８０ｃにＴＦＴ素子４５０を介して接続された画素電極１０（便宜上、「画素電極１０ｄ」と呼ぶ）との間はそれぞれ寄生容量Ｃ１が存在している。
【００８９】
このため、画素電極１０ａ側には、画素電極１０ｂの負極性に対応する電位が寄生容量Ｃ１を通じて廻り込むと共に、その逆に、画素電極１０ｂ側には、画素電極１０ａの正極性に対応する電位が寄生容量Ｃ１を通じて廻り込むことになる。ここで、それらの電位は同一の大きさで且つ極性が逆であるため、それらの電位は相殺し合う。また、上記同様の作用により、画素電極１０ｂ側には、画素電極１０ｃの正極性に対応する電位が寄生容量Ｃ１を通じて廻り込むと共に、その逆に、画素電極１０ｃ側には、画素電極１０ｂの負極性に対応する電位が寄生容量Ｃ１を通じて廻り込む。上記同様の理由により、それらの電位は相殺し合う。さらに、上記同様の作用により、画素電極１０ｃ側には、画素電極１０ｄの負極性に対応する電位が寄生容量Ｃ１を通じて廻り込むと共に、その逆に、画素電極１０ｄ側には、画素電極１０ｃの正極性に対応する電位が寄生容量Ｃ１を通じて廻り込む。上記同様の理由により、それらの電位は相殺し合う。このような作用は、Ｙ３に係るゲート線８０にＴＦＴ素子４５０を介して接続された画素電極１０と、Ｙ４に係るゲート線８０にＴＦＴ素子４５０を介して接続された画素電極１０についても生じる。
【００９０】
以上に述べた作用により、各画素電極１０は寄生容量Ｃ１の影響を受けないので、液晶の実効値が変動するのを抑制することができる。よって、縞模様状（横縞状）の表示不良が生じるのを防止することができる。
【００９１】
また、上記の実施形態及び変形例では、透過型の液晶表示装置に本発明を適用することとしたが、これに限らず、反射型若しくは半透過反射型の液晶表示装置に本発明を適用することも可能である。
【００９２】
［電子機器］
次に、本発明による液晶表示装置１００、２００又は３００を電子機器の表示装置として用いる場合の実施形態について説明する。
【００９３】
図１２は、本実施形態の全体構成を示す概略構成図である。ここに示す電子機器は、上記の液晶表示装置１００、２００又は３００と、これを制御する制御手段４１０とを有する。ここでは、液晶表示装置１００、２００又は３００を、パネル構造体４０３と、半導体ＩＣなどで構成される駆動回路４０２とに概念的に分けて描いてある。また、制御手段４１０は、表示情報出力源４１１と、表示情報処理回路４１２と、電源回路４１３と、タイミングジェネレータ４１４と、を有する。
【００９４】
表示情報出力源４１１は、ＲＯＭ（Read Only Memory）やＲＡＭ（Random Access Memory）などからなるメモリと、磁気記録ディスクや光記録ディスクなどからなるストレージユニットと、デジタル画像信号を同調出力する同調回路とを備え、タイミングジェネレータ４１４によって生成された各種のクロック信号に基づいて、所定フォーマットの画像信号などの形で表示情報を表示情報処理回路４１２に供給するように構成されている。
【００９５】
表示情報処理回路４１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路４０２へ供給する。駆動回路４０２は、走査線駆動回路、データ線駆動回路及び検査回路を含む。また、電源回路４１３は、上述の各構成要素にそれぞれ所定の電圧を供給する。
【００９６】
次に、本発明に係る液晶表示装置１００、２００又は３００を適用可能な電子機器の具体例について図１３を参照して説明する。
【００９７】
まず、本発明に係る液晶表示装置１００、２００又は３００を、可搬型のパーソナルコンピュータ（いわゆるノート型パソコン）の表示部に適用した例について説明する。図１３（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００９８】
続いて、本発明に係る液晶表示装置１００、２００又は３００を、携帯電話機の表示部に適用した例について説明する。図１３（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００、２００又は３００を適用した表示部７２４を備える。
【００９９】
なお、本発明に係る液晶表示装置１００、２００又は３００を適用可能な電子機器としては、図１３（ａ）に示したパーソナルコンピュータや図１３（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【０１００】
【図１】本発明の実施形態に係る液晶表示装置の電極及び配線の構成を示す平面図。
【図２】図１の切断線Ａ−Ａ’に沿った液晶表示装置の断面図。
【図３】本実施形態に係る素子基板の電極及び配線の構成等を示す平面図
【図４】本実施形態のカラーフィルタ基板の電極の構成等を示す平面図。
【図５】走査電位ＶＡ、信号電位ＶＢ及び電極間電圧ＶＡＢの波形図を示す。
【図６】信号電位ＶＢ及び電極間電圧ＶＡＢの波形図を示す。
【図７】異なる階調レベルの駆動波形例を示す波形図。
【図８】本実施形態の素子基板等の一部を拡大して示す平面図。
【図９】変形例に係る素子基板等の一部を拡大して示す平面図。
【図１０】ＴＦＴ素子を用いた素子基板等の一部を拡大して示す平面図。
【図１１】ＴＦＴ素子の構成を模式的に示す断面図。
【図１２】本発明の液晶表示装置を適用した電子機器の回路ブロック図。
【図１３】本発明の液晶表示装置を適用した電子機器の例。
【符号の説明】
【０１０１】
１  下側基板、  ２  上側基板、  ３  シール部材、  ６  着色層、  ８  走査線、  １０  画素電極、  １７  配向膜、  １９  オーバーコート層、  ２１  ＴＦＤ素子、  ３２ａ、３２ｂ  データ線、  ３１  引き回し配線、  ８０  ゲート線、  ９１  素子基板、  ９２  カラーフィルタ基板、  １００、２００又は３００  液晶表示装置、  ４５０  ＴＦＴ素子
【図１】
2006267544.tif 000003
【図２】
2006267544.tif 000004
【図３】
2006267544.tif 000005
【図４】
2006267544.tif 000006
【図５】
2006267544.tif 000007
【図６】
2006267544.tif 000008
【図７】
2006267544.tif 000009
【図８】
2006267544.tif 000010
【図９】
2006267544.tif 000011
【図１０】
2006267544.tif 000012
【図１１】
2006267544.tif 000013
【図１２】
2006267544.tif 000014
【図１３】
2006267544.tif 000015